(57)【要約】  本発明の目的は、航空機胴体のような非導電性構造体内の電流リターン回路網の部分間の抵抗率に関して電気的に効率が良い等電位接続部を形成することである。本発明によって採用される方法は、大きな断面のアルミニウムケーブルに等電位ボンディング機能を付与するものであり、前記ボンディングは、直接的接触により、物理的に接続可能な数の装置に電気的に接続される。  一実施形態によれば、複合材料製外皮を有する航空機胴体（１００）の電気接続アセンブリは、コネクタ（２０２）を介して主電流リターン回路網用ブラケット（１１３、１４１）および電気装置用ブラケット（１１１）に対して等電位ボンディングする働きをする大きな断面のアルミニウム合金製ケーブル（１）を電気的に相互接続するためのインラインシャントコネクタ（２）を備える。それぞれのインラインシャントコネクタ（２）は、ケーブル（１）と直接電気的に接触する中央スリーブ（２ｍ）と、圧着によりケーブル（１）に取り付けるための端部と、装置のブラケット（１１１）に取り付けるためのアタッチメント手段（２ｐ）とを備える。スリーブ（２ｍ）の端部それぞれには、シール部が収容される。それぞれの相互接続部は、窓部剥離によって形成された中央接触領域を囲む２つの封止領域を有する。
2015510663.tif 000002
【特許請求の範囲】
【請求項１】
非導電性構造体内の電流リターン回路網の等電位ボンディング接続方法にして、この回路網は互いに離間した位置にある主電流リターン回路網（１１０、１２０、１３０）を備え、主回路網がまとまって１つの電流リターン回路網を形成するように等電位接続部が主回路網を接合する接続方法であって、接続部は、主回路網（１１０、１２０、１３０）間の等電位接続部を一体的に形成する大きな断面のアルミニウムケーブル（１）によって形成され、装置は、ケーブルを妨げずに等電位接続部に沿って連続して配置され、電気的かつ機械的に密着して取り付けることで接続が作成される直接中間接続部（２、２’、２’’、２’’’）によって、その位置に出来るだけ近くの位置で電気的に接続され、それぞれの相互接続部は、窓部剥離（１１）によって形成された中央接触領域（２１）を囲む２つの封止領域（２２）を有することを特徴とする、接続方法。
【請求項２】
各接続部（２、２’、２’’、２’’’）が、ねじ留め、リベット打ち、はんだ付け、溶接、圧着、および焼き嵌めの中から選択される剛性接続手段によってケーブルに取り付けられる、請求項１に記載の接続方法。
【請求項３】
それぞれの相互接続部（２、２’、２’’、２’’’）が取り付けられる前に、導電性材料がシース剥離部（１１）上に適用される、請求項１または請求項２のいずれかに記載の接続方法。
【請求項４】
電気的接触を改善し、酸化を防ぐために、金属表面処理（２７）が施される、請求項１または請求項２のいずれかに記載の接続方法。
【請求項５】
それぞれの接続部が、相互接続部（２、２’、２’’、２’’’）を取り付けるための領域（２ｐ）からずれた電気的取り付け領域（２１ｓ）を有する、請求項１〜請求項４のうちのいずれか一項に記載の接続方法。
【請求項６】
非導電性構造体（１００）内の主電流リターン回路網（１１０、１２０、１３０）を等電位ボンディングする大きな断面のアルミニウム合金製ケーブル（１）とこの構造体内の電気装置との間のインライン等電位シャントコネクタ（２、２’、２’’、２’’’）であって、剛性接続手段によってケーブル（１）に取り付けるための実質的に円筒状の金属スリーブ（２ｍ）と、装置用ブラケット（１１１）に取り付けられるようにスリーブ（２ｍ）を延長するアタッチメント手段（２ｐ）とを備えること、および取り付けスリーブ（２ｍ）は、シール部（２５）を収容し、中央領域（２１）内に形成された窓部（１１）内で予め剥離されたケーブル（１）と電気的に接触する中央領域（２１）を囲む２つの端部（２２）から成ることを特徴とする、シャントコネクタ。
【請求項７】
剛性接続手段が、パンチおよびダイによる圧着である、請求項６に記載のシャントコネクタ。
【請求項８】
端部（２２）が、アルミニウム端子用のタイプの工具を使用してケーブル（１）の絶縁シース（１２）上に圧着される、請求項６または請求項７のいずれかに記載のシャントコネクタ。
【請求項９】
スリーブ（２ｍ）が、耐食性保護金属被膜（２７）で被覆された内壁を有する、請求項６〜請求項８のうちのいずれか一項に記載の相互接続インラインシャントコネクタ。
【請求項１０】
スリーブ（２ｍ）の内表面およびケーブル（１）の剥離コア（１１）が、金属表面処理が施される、請求項６〜請求項８のうちのいずれか一項に記載の相互接続インラインシャントコネクタ。
【請求項１１】
ケーブルの剥離コア（１１）が、導電性グリース層で被覆される、請求項６〜請求項８のうちのいずれか一項に記載の相互接続インラインシャントコネクタ。
【請求項１２】
圧着時に生じたグリースの過剰分をシール部（２５）とケーブル（１）との間に閉じ込めずに受け取ることができるように、スリーブ（２ｍ）とケーブル（１）との間およびケーブル（１）の剥離窓部（１１）とスリーブ（２ｍ）の端部（２２）の少なくとも１つのシール部（２５）との間に凹部（３）が形成される、請求項１１に記載の相互接続インラインシャントコネクタ。
【請求項１３】
スリーブ（２ｍ）の端部がケーブル（１）の剥離窓部（１１）とスリーブ（２ｍ）の内表面との間の電気的圧着領域（２１ｓ）と連通できるように、一定量の導電性グリースを注入するためにスリーブ（２ｍ）を通るチャネル（４）が形成され、その後、切欠部（２３）によってスリーブを配向した後に、圧着によってこのチャネル（４）を封止することができる、請求項１１に記載の相互接続インラインシャントコネクタ。
【請求項１４】
装置と、非導電性構造体内で請求項１〜請求項５のうちのいずれか一項に記載の本発明の接続方法を実行することができるように電流リターン回路網の主回路網（１１０、１２０、１３０）間のボンディングの働きをする大きな断面の少なくとも１つのアルミニウム合金製ケーブル（１）との間を等電位ボンディングするための請求項６〜請求項１３のうちのいずれか一項に記載のインライン等電位シャントコネクタを備えた電流リターン回路網。
【発明の詳細な説明】
【技術分野】
【０００１】
本発明は、構造体、特に、航空機胴体、鉄道車両、建造物、または自動車内の電流リターン電気回路網の等電位ボンディング接続方法に関する。本発明は、特に、複合材料製外皮を有する新世代の航空機の電気回路網に関する。本発明は、さらに、非導電性構造体において前記方法を実行するための等電位シャントコネクタおよび該等電位シャントコネクタを有する電流リターン回路網に関する。
【０００２】
新世代の外皮の複合材料は、不均一な炭素繊維系材料を有する。従来は、回路網を形成する電気配線の機能は、特に、消費者機器からの電流リターン、全ての金属加工品を同じ電位に設定すること、電気設備の電磁環境適合性（ＥＭＣ）保護、雷電流（間接的であるか、または誘導されたかは関係なく）放電、および静電荷帯電は、前世代のアルミニウム外皮によって果たされていた。
【０００３】
したがって、本発明は、構造または構造体のシェルが非導電性である場合に、電気の通過が上述の相互接続機能の少なくともいくつかのメンテナンスを必要とする任意の構造に適用できることを目的とする。
【背景技術】
【０００４】
炭素系複合材料は、平均的な導電体であり、ジュール効果による発熱に対する耐性が低い。したがって、このタイプの被覆材は、上述の機能を実行するのに使用することはできない。
【０００５】
複合材外皮の航空機において電線を接続する機能を実行できるようにするには、従来は、金属加工品で形成された構造体を使用して電気回路網が形成されている。全体としては、図１ａの航空機胴体１００の断面図で示されているように、このタイプの回路網は、胴体１００の構造用炭素フレーム１０２に沿って設置される。基本的には、フレーム１０２を覆う複合材料製の外側外皮１０１を有するこの胴体は、電気伝導性の低い材料で作られる。より詳細には、回路網は、長手方向の３つの主回路網、すなわち、
特に、荷物室用金属ブラケット１１１、異形ケーブル通路１１２、および中央金属ブラケット１１３を有する「上部回路網」として周知である胴体上部のリターン回路網１１０と、
特に、異形シートレール１２１および異形ケーブル通路１２２を備える中央部の「中央」リターン回路網１２０と、
特に、異形金属貨物レール１３１に基づく「下部回路網」として周知である下部のリターン回路網１３０と
の回路網によって形成される。
【０００６】
これらの長手方向回路網は、後述するように、構造体ロッド１４２およびワイヤ接続部によって接続される金属製横材１４１によって横方向に相互接続される。したがって、電流リターン回路網は、機能的安全性を高めるために回路網につながれる。
【０００７】
等電位接続部を形成するための任意の導体は、次のような基本的特性を有する。つまり、優れた電気伝導性を有する（または、すなわち、極めて低い抵抗で性能を保証する）、重量を最小限に抑えるために低密度である、必須条件としてコスト効率が高い、および他の技術的性能要件（耐用年数、環境耐性など）を満たす。アルミニウムは、これら全ての基準を全て満たす最も適した材料である。したがって、等電位接続部は、一般に、航空機向けのシリーズから選択された、大きな断面である（すなわち、「ＡＷＧ１０」ゲージより大きな断面である）、または約５ｍｍ２より大きな断面を有する数本のアルミニウムケーブルで形成される。
【０００８】
図１ｂの正面図で示されているように、等電位接続部は、このタイプのケーブル２０１によって、例えば、頭上荷物室用ブラケット１１１を、一方は上部リターン回路網の中央ブラケット１１３に、他方は中央リターン回路網の金属製横材１４１に接合することで形成される。それぞれの頭上荷物室用ブラケット１１１とリターン回路ブラケット１１３または１４１との間には、少なくとも７つの等価電気抵抗が生じる。つまり、金属ブラケット１１１と１１３もしくは１４１との間の界面および接続端子２０２との間の界面の２つの抵抗、端子本体２０２の２つの電気抵抗、端子２０２とケーブル２０１との間の２つの界面抵抗、および大きな断面の１本のケーブル２０１の線形電気抵抗である。図示された例にあるように、頭上荷物室用ブラケット１１１がある場所には、このブラケットの導電部の抵抗が追加されなければならない。
【０００９】
組立ラインにおいて部品を組み立てるサイクルの最終的な時間を低減するために、端子を可動部と固定部とを有する単極コネクタと置き換えることができる。場合によっては、スタッドまたは端子片を使用して２つの端子を重ねることによって２本のケーブルが直接互いに接続される。
【００１０】
装置がリターン回路網用のブラケットを形成する金属部品から離れた位置にある場合、これらの装置の電流リターン回路網への接続は、特に線間電圧の降下を制御する必要があるので、これらの装置のできる限り近くで行われる。このような接続部は、通常、同時に伝達される荷重の強度に応じて、剛性または可撓性の中間金属ブラケットによって形成される。したがって、これらの接続部は、さらに寄生抵抗を引き起こす。これらのブラケットに取り付けられるのは、上部リターン回路網１１０ならびに中間リターン回路網１２０に接合されるケーブルの各部分および当該装置にボンディングされる端子である。この中間ブラケットは、回路網全体に、すなわち、リターン回路網間および各リターン回路網と前記装置との間にさらなる等価電気抵抗を引き起こす。
【００１１】
中間ブラケットの代替形態として、スタッドもしくは端子片を使用したトリプル接合が可能である。それぞれのスタッドもしくは端子片は、端子間で２つの等価界面電気抵抗を生じる。
【００１２】
上述の解決策は、等電位ボンディングを妨げるという主な欠点があり、その結果、信頼性、重量およびコストについての利益が低減する。
【００１３】
端末および単極コネクタ以外に、大きな断面のケーブルの電気相互接続はさらに、延長リード線を使用する。
【００１４】
しかし、この接続形態は、現在では、等電位接続部を形成するのに使用されているが、元来、単に大きな断面のアルミニウム合金製ケーブルの終端接続部を形成するように設計されたものであった。この方法により、大きな断面の数本のケーブルの端部間を相互接続して、上述した電流リターン回路網の種々の部分間で等電位接続部を形成することができる。
【００１５】
ここで、特に、複合材料製航空機胴体において現在必要となるのは、複数の部分（すなわち、上部、中央、および下部）において形成される電流リターン回路網の構造体が等電位配線接続部を介してシャント接続されることである。等価抵抗の点では不利である中間部分に関して上述した接続手段で示されているように、周知の解決策は、電気的に、さらに重量、コストおよび信頼性の点において有効である等電位接続部を形成することができない。したがって、接続部のケーブルのゲージが大きくなると、
接続形態のケーブルの重量および結合する中間ブラケットの重量の増加、
材料コスト費用の増加、
引き回しコストの上方修正
をもたらす。
【発明の概要】
【発明が解決しようとする課題】
【００１６】
本発明の目的は、相互接続を容易にすると同時に性能を維持することによって、周知のコネクタ手段の欠点を克服することである。特に、安全性の理由から、本発明の目的は、例えば、およそ数ミリオームの領域において全等価抵抗を有する低抵抗率の点で電気的に有効であるリターン回路網の部分間の等電位接続部を形成することである。さらに、本発明は、多数のケーブルが全体として電流リターン回路網の予想される信頼性を損なうということにも関わらず、航空機の耐用年数にわたって規定の相互接続機能を維持する。
【課題を解決するための手段】
【００１７】
本発明によって採用される方法は、大きな断面のアルミニウムケーブルに等電位ボンディング機能を付与するものであり、このボンディングは、直接的接触により、物理的に接続可能な数の装置に電気的に接続される。
【００１８】
より詳細には、本発明は、非導電性構造体内の電流リターン回路網の等電位ボンディング接続方法に関する。この回路網は、互いに離間した位置にある主電流リターン回路網を備え、主電流リターン回路網がまとまって１つの電流リターン回路網を形成するように等電位接続部が主回路網を接合する。接続部は、主回路網間の等電位接続部を一体的に形成する大きな断面のアルミニウムケーブルによって形成される。装置は、ケーブルを妨げずに等電位接続部に沿って連続して配置され、電気的かつ機械的に密着して取り付けることで作成される直接中間接続部によって、出来るだけ近くの位置で電気的に接続される。それぞれの相互接続部は、窓部剥離によって形成された中央接触領域を囲む２つの封止領域を有する。有利には、この電流リターン回路網の全体的な電気性能は、中間相互接続部の数に関係なく、抵抗率に関して最適な状態で維持される。
【００１９】
好適な実施形態によれば、
各接続部は、ねじ留め、リベット打ち、はんだ付け、溶接、圧着、および焼き嵌めの中から選択される剛性接続技術によって取り付けられ、
電気的接触を改善し、酸化を防ぐために、各相互接続部が取り付けられる前にシース剥離部上に導電体が適用され、
あるいは、金属表面加工が施され、
各接続部は、相互接続部を取り付けるための領域からずれた電気的取り付け領域を有する。
【００２０】
本発明はさらに、非導電性構造体内の主電流リターン回路網を等電位ボンディングする大きな断面のアルミニウム合金製ケーブルとこの構造体内の電気装置との間のインライン等電位シャントコネクタに関する。このシャントコネクタは、剛性接続手段によってケーブルに取り付けるための実質的に円筒状の金属スリーブと、装置用ブラケットに取り付けられるようにスリーブを延長するアタッチメント手段とを備える。取り付けスリーブは、シール部を収容し、中央領域内に形成された窓部内で予め剥離されたケーブルと電気的に接触する中央領域を囲む２つの端部から成る。
【００２１】
特定の実施形態によれば、
剛性接続の前に等電位ボンディングケーブルに対する角度位置を調節するためにスリーブの少なくとも一方の端部に沿って切欠部が設けられ、
剛性接続手段は、パンチおよびダイによる圧着であり、
スリーブの端部は、アルミニウム端子用のタイプの工具を使用して、ケーブルの絶縁シースに圧着され、
スリーブは、耐食性保護金属被膜で被覆された内壁を有し、
あるいは、ケーブルの剥離コアは、導電性グリースの層で被覆され、
圧着時に生じたグリースの過剰分をシール部とケーブルとの間に閉じ込めずに受け取ることができるように、スリーブとケーブルとの間およびケーブルの剥離窓部とスリーブの端部の少なくとも１つのシール部との間に凹部が形成され、
あるいは、スリーブの端部がケーブルの剥離窓部とスリーブの内表面との間の電気的圧着領域と連通できるように、一定量の導電性グリースを注入するためにスリーブを通るチャネルが形成され、その後、切欠部によってスリーブを配向した後に、圧着によってこのチャネルを封止することができ、
電気的圧着領域は、スリーブの中央領域でアタッチメント手段から軸方向にずらされる。
【００２２】
本発明はさらに、装置と、非導電性構造体内で本発明の接続方法を実行することができるように電流リターン回路網の主回路網間を接続する働きをする大きな断面の少なくとも１つのアルミニウム合金製ケーブルとの間の該等電位シャントコネクタを備えた電流リターン回路網に関する。ケーブルは、任意の周知の手段、例えば、端子、単極コネクタ、端子片などによって、主回路網用ブラケットに接続される。
【００２３】
本発明を実行するための他の態様および異なる特徴は、添付図面を参照した以下の詳細な説明を読めば明らかになるであろう。
【図面の簡単な説明】
【００２４】
【図１ａ】航空機胴体および電流リターン回路網の断面図である。
【図１ｂ】（上述した）先行技術の主回路網間の等電位接続部の図である。
【図２】本発明の主回路網と装置ブラケットとの間の接続部の形態の等電位ボンディング接続部の一例の正面図である。
【図３】３つの装置が図２の接続部に結合される場所の等価電気抵抗を示した図である。
【図４ａ】本発明の接続部のシャントコネクタの一例の正面図である。
【図４ｂ】本発明の接続部のシャントコネクタの一例の平面図である。
【図４ｃ】本発明の接続部のシャントコネクタの一例の断面図である。
【図４ｄ】本発明の接続部のシャントコネクタの一例の長手方向断面図である。
【図５】過剰な導電性グリースを受け取るための凹部を備えたシャントコネクタの一例の長手方向断面図である。
【図６ａ】導電性グリースを注入するためのオリフィスを備えたシャントコネクタの一例の長手方向断面図である。
【図６ｂ】導電性グリースを注入するためのオリフィスを備えたシャントコネクタの一例の平面図である。
【図７】軸方向にずらされた電気的圧着領域とアタッチメント手段とを備えたシャントコネクタの一例の断面図である。
【発明を実施するための形態】
【００２５】
同じ参照符号または共通の語根を有するが、異なる図面において使用される参照符号は、同じ要素または技術的に同等の要素を指す。用語「上部」「中央」および「下部」は、標準的な使用形態または取り付け形態における相対的な位置を指す。用語「長手方向」は、一方向に延在する要素を示し、「横方向」は、この方向に直角な面内に延在する要素を限定する。
【００２６】
図２を参照すると、例えば、３５ｍｍ２の断面のアルミニウム製ケーブル１の形態で等電位ボンディング接続部が示されている。図示されている例では、このケーブル１は、図１ａに示されている中央リターン回路網１２０と上部リターン回路網１１０との間の等電位接続部としての働きをする。上部回路網１１０および中央回路網１２０のケーブル１および金属ブラケット１１３、１４１はそれぞれ、端子２０２によって接合される。
【００２７】
接続部１に近く、頭上荷物室用ブラケット１１１に接合される装置は、ケーブルの２つの端部間の中間インライン等電位シャントコネクタ２（以降、「シャントコネクタ」とする）によって、この接続部に電気的に相互接続される。図示されている例では、シャントコネクタ２は、中央円筒状スリーブ２ｍと、ねじ２０によってブラケット１１１に取り付けられるピン２ｐとを備える。ケーブルは妨げられないので、この結合では３つの抵抗のみが作用する。つまり、ケーブル１とシャントコネクタ２との間の界面抵抗、シャントコネクタ２本体の抵抗、およびシャントコネクタ２とブラケット１１１との間の界面抵抗である。
【００２８】
結合において作用する抵抗の数および値（典型的には、ミリオームとはるかに低い）は、極めて小さい。このボンディングの原理により、全電気抵抗に関しては、中間相互接続部の数に関係なく変化しないという最適な性能を達成することができる。したがって、図３は、等価抵抗の電気回路図に従って、シャントコネクタ２ａ〜２ｃによるブラケット１１１ａ、１１１ｂ、および１１１ｃの３つの装置のケーブル１への接続を示している。ここで、
Ｒ１およびＲ７は、端子２０２と、両端でケーブル１に結合された上部ブラケット１１３および中間ブラケット１４１との間の界面抵抗を示し、
Ｒ３ａ〜Ｒ３ｃは、シャントコネクタ２ａ〜２ｃと装置用ブラケット１１１ａ〜１１１ｃとの間の界面抵抗を示し、
Ｒ２およびＲ６は、端子２０２本体の抵抗を示し、
Ｒ３およびＲ５は、ケーブル１と端子２０２との間の界面抵抗を示し、
Ｒ２ａ〜Ｒ２ｃは、シャントコネクタ２ａ〜２ｃ本体の抵抗を示し、
Ｒ１ａ〜Ｒ１ｃは、ケーブル１とシャントコネクタ２ａ〜２ｃとの間の界面抵抗を示し、
Ｒ４は、妨げられることなくシャントコネクタ２ａ〜２ｃ全てを完全に通過するケーブル１の抵抗を示している。
【００２９】
装置用ブラケット１１１ａ〜１１１ｃの接続部は、ケーブル１に沿って平行に順々に取り付けられるので、ブラケット１１３および１４１に接合されるケーブル１の両端間の接続部の全電気抵抗に変化はない。さらに、装置のいずれかと２つの主回路網１１０および１２０（図２）により形成される電流リターン回路網との間の全電気抵抗は、装置の数に関係なく、最小値で維持され変わらない。
【００３０】
図４ａ〜図４ｄを参照すると、本発明の接続部１上のシャントコネクタ２の一例が詳細に示されている。図４ａの正面図および図４ｂの平面図に示されるように、シャントコネクタ２は両端が封止領域２１まで延長された中央領域２１を備え、これらの領域が円筒状スリーブ２ｍ（図２参照）を形成する。さらに、中央領域２１は、取り付け穴２ｔ（図２の取り付けねじ２０が貫通する）を備えた取り付けピン２ｐまで横方向に延長される。
【００３１】
面ＣＣにおける図４ｃの断面図は、端部領域２２の少なくとも一方に切欠部２３が形成されていることを示している。これらの切欠部により、ケーブルに表示されているゲージ情報に従って、シャントコネクタ２をケーブル１に対して半径方向に角度配向を達成することができる。
【００３２】
図４ｄの断面図は、軸Ｘ’Ｘに沿ってケーブル１を前処理した結果を示した図である。この前処理は、領域２１の中央にある圧着領域２１ｓ内の絶縁シース１２を除去することによってコア１１の窓部上のケーブルを剥離することである。図４ｄにはさらに、端部領域２２に配置される円筒状シール部２５が示されている。さらに、取り付けピン２ｐは、実質的に軸Ｘ’Ｘに沿って軸方向に、剥離コア１１の窓部と位置合わせされることがわかる。
【００３３】
この場合、電気的圧着は、中央領域２１に位置する電気的圧着領域２１ｓで行われる。この圧着は、アルミニウム端子を圧着するのと同じように、パンチおよびダイをシャントコネクタの形状に合わせることによって行われる「深い圧着」タイプの圧着である。
【００３４】
有利には、中央圧着領域２１内のシャントコネクタ２の内壁に耐食性保護金属被膜２７が配置される。この保護被膜により、剥離コア１１とカプラーの内壁との間の優れた電気的接触が確実に得られる。
【００３５】
この場合、機械的圧着は、電気的圧着を封止するために行われる。シール部２５を囲む封止領域２２は、アルミニウム端子で使用されたのと同じタイプの工具を使用してケーブル１の絶縁シース１２に圧着される。したがって、同じサイズの場合、封止効率は端子に必要な封止効率に等しい。
【００３６】
また、有利には、例えば、金属表面による保護をせずにアルミニウムコアを有するケーブルに対して、表面処理の代わりに導電性グリースを使用することができる。さらに、このステップは、コアがアルミニウム線（例えば、銅被覆およびニッケルめっきが施された）で作られる場合に有利である。
【００３７】
これを行うためには、剥離コア１１は、導電性のグリースの薄い層で予め被覆される。図５の長手方向断面図を参照すると、インラインシャント端子２’は、周辺凹部３を有するようにモデル化されている。カプラー２’が取り付けられる時に、グリースの過剰分は凹部３内に集められる。凹部の容積は、グリースの潜在的に可能な全体積を全体的に受け取ることができるように予め決定される。この凹部により、電気的圧着領域２１ｓ近くに配置され筐体内に挿入されたシール部２５はグリース上では圧着されない。そのためには、切欠部（図４ｃ参照）を使用してカプラーを配向した後に、圧着が行われる。
【００３８】
凹部の代替形態として、別の実施形態は、グリース注入チャネルを備えることにある。図６ａおよび図６ｂの断面図および平面図を参照すると、円筒状チャネル４は、中央領域２１ｓ内のシャントコネクタ２’’を長手方向軸Ｘ’Ｘ（ケーブル１の長手方向軸と結合される）に直角に貫通する。あるいは、チャネルは傾斜軸を有してもよい。このチャネル４は、所望量のグリースを急速に注入し、ゲージ仕様に応じてシャントコネクタを配向して中央領域２１ｓを圧着した後に、この圧着動作によって生じた材料の変位によってこのチャネルを封止するのに十分な直径を有する。この封止により圧着領域２１ｓ不貫通性を確実にする。
【００３９】
いくつかの工具（パンチおよびダイ）を再利用して端子を成形することができるように、シャントコネクタの取り付けピンと電気的圧着領域との間を軸方向にずらすのが有利である。図７の長手方向断面図を参照すると、カプラー２’’’のスリーブ２ｍは、剥離コア１１の圧着領域２１ｓと取り付けピン２ｐとを軸方向に重ならずに軸Ｘ’Ｘに沿って軸方向にずらすのに十分な長さである。
【００４０】
本発明は、上述の実施形態および図示されている実施形態に限定されない。特に、シャントコネクタの寸法は、ケーブルのゲージおよび絶縁シースに応じて合わせることができる。また、シャントコネクタの内壁の表面処理も、ニッケルめっき、錫めっきなどによって適切に処理することができる。さらに、適切な取り付け手段（複数の直角締結具、または仕切りによる）を使用して、シャントコネクタと構造体との全ての取り付け方法（電気的接続部および機械的接続部の両方を形成することができる）、例えば、ねじ留め、リベット打ち、はんだ付け、溶接、および焼き嵌めなどを使用することができる。
【００４１】
さらに、導電性部品もしくは非導電性部品は、金属表面処理に置き換えてもよいし、または側方シール部に置き換えてもよい。さらに、導電性グリースを使用する実施形態において、注入チャネルまたは捕集凹部は、任意の他の貯蔵手段または注入手段と置き換えてもよい。
【図１ａ】
2015510663.tif 000003
【図１ｂ】
2015510663.tif 000004
【図２】
2015510663.tif 000005
【図３】
2015510663.tif 000006
【図４ａ】
2015510663.tif 000007
【図４ｂ】
2015510663.tif 000008
【図４ｃ】
2015510663.tif 000009
【図４ｄ】
2015510663.tif 000010
【図５】
2015510663.tif 000011
【図６ａ】
2015510663.tif 000012
【図６ｂ】
2015510663.tif 000013
【図７】
2015510663.tif 000014
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
航空機内の電流リターン回路網の等電位ボンディング接続方法にして、この回路網は胴体に対して長手方向にあり互いに離間した位置にある主電流リターン回路網（１１０、１２０、１３０）を備え、前記主回路網の少なくとも１つ（１１０）は横方向に離間した要素（１１１、１１２、１１３）によって形成され、主回路網がまとまって１つの電流リターン回路を形成するように等電位接続部が主回路網を接合する接続方法であって、接続部は、一体となって主回路網（１１０、１２０、１３０）間および横方向離間要素（１１１、１１２、１１３）間の等電位接続部を一体的に形成する大きな断面のアルミニウムケーブル（１）によって形成され、装置は、ケーブルを妨げずに等電位接続部に沿って連続して配置され、電気的かつ機械的に密着して取り付けることで作成される直接中間接続部（２、２’、２’’、２’’’）によって、それらの位置に出来るだけ近くで電気的に接続され、それぞれの相互接続部は、窓部剥離（１１）によって形成された中央接触領域（２１）を囲む２つの不浸透性の領域（２２）を有することを特徴とする、接続方法。
【請求項２】
各接続部（２、２’、２’’、２’’’）が、ねじ留め、リベット打ち、はんだ付け、溶接、圧着、および焼き嵌めの中から選択される剛性接続手段によってケーブルに取り付けられる、請求項１に記載の接続方法。
【請求項３】
それぞれの相互接続部（２、２’、２’’、２’’’）が取り付けられる前に、導電性材料がシース剥離部（１１）上に適用される、請求項１に記載の接続方法。
【請求項４】
電気的接触を改善し、酸化を防ぐために、金属表面処理（２７）が施される、請求項１に記載の接続方法。
【請求項５】
それぞれの接続部が、相互接続部（２、２’、２’’、２’’’）を取り付けるための領域（２ｐ）からずれた電気的取り付け領域（２１ｓ）を有する、請求項１に記載の接続方法。
【請求項６】
胴体に対して長手方向にあり互いに離間した位置にある主電流回路網（１１０、１２０、１３０）を備え、前記回路網の少なくとも１つ（１１０）は横方向に離間した要素（１１１、１１２、１１３）によって形成され、主回路網がまとまって１つの電流リターン回路を形成するように等電位接続部が主回路網を接合するような、飛行機内の電流リターン回路網であって、接続部は、主回路網（１１０、１２０、１３０）間および横方向離間要素（１１１、１１２、１１３）間の等電位接続部を一体的に形成する大きな断面のアルミニウムケーブル（１）によって形成され、装置は、剛性接続によってケーブル（１）に取り付けるための実質的に円筒状の金属スリーブ（２ｍ）と装置用ブラケット（１１１）に取り付けられるようにスリーブ（２ｍ）を延長するアタッチメント手段（２ｐ）とを備えるインライン等電位シャントコネクタ（２、２’、２’’、２’’’）によって、等電位接続部のケーブル（１）の位置に出来るだけ近くの位置で電気的に接続され、前記取り付けスリーブ（２ｍ）は、それぞれシール部（２５）を収容し、中央領域（２１）内に形成された窓部（１１）内で予め剥離されたケーブル（１）との電気的に接触するための中央領域（２１）を囲む２つの端部（２２）から成ることを特徴とする、電流リターン回路網。
【請求項７】
剛性接続手段が、パンチおよびダイによる圧着である、請求項６に記載の回路網。
【請求項８】
端部（２２）が、アルミニウム端子用のタイプの工具を使用して、ケーブル（１）の絶縁シース（１２）上に圧着される、請求項６に記載の回路網。
【請求項９】
スリーブ（２ｍ）が、耐食性保護金属被膜（２７）で被覆された内壁を有する、請求項６に記載の回路網。
【請求項１０】
スリーブ（２ｍ）の内表面およびケーブル（１）の剥離コア（１１）は、金属表面処理が施される、請求項６に記載の回路網。
【請求項１１】
ケーブル（１）の剥離コア（１１）が、導電性グリース層で被覆される、請求項６に記載の回路網。
【請求項１２】
圧着時に生じたグリースの過剰分をシール部（２５）とケーブル（１）との間に閉じ込めずに受け取ることができるように、スリーブ（２ｍ）とケーブル（１）との間およびケーブル（１）の剥離窓部（１１）とスリーブ（２ｍ）の端部（２２）の少なくとも１つのシール部（２５）との間に凹部（３）が形成される、請求項１１に記載の回路網。
【請求項１３】
スリーブの端部がケーブル（１）の剥離窓部（１１）とスリーブ（２ｍ）の内表面との間の電気的圧着領域（２１ｓ）と連通できるように、一定量の導電性グリースを注入するためにスリーブ（２ｍ）を通るチャネル（４）が形成され、その後、切欠部（２３）によってスリーブを配向した後に、圧着によってこのチャネル（４）を封止することができる、請求項１１に記載の回路網。
【国際調査報告】
2015510663.tif 000015
2015510663.tif 000016
2015510663.tif 000017
2015510663.tif 000018
2015510663.tif 000019
2015510663.tif 000020